(57)【要約】  ＡＭスクリーンにおける中間色の見栄えやグラデーションのなめらかさを向上させることができるのみならず、ＦＭスクリーンにおけるハイライト部へのインクの転移が向上するとともにシャドウ部での十分な濃度を得ることができるようにしたグラビア印刷版を提供する。    ハイライト部において面積の小さな帯状ハイライト部メインセルを形成し、中間調部において前記帯状ハイライト部メインセルの面積を前記濃度階調が増大するにつれて前記帯状ハイライト部メインセルの両端が近接するように徐々に増大形成させかつ該帯状ハイライト部メインセルの周辺に点状又は線状の中間調部補助セルを追加形成することにより帯状中間調部メインセルを形成し、シャドウ部において環状シャドウ部メインセルを形成するようにした。
2008053757.tif 000002
【特許請求の範囲】
【請求項１】
ハイライト部、中間調部及びシャドウ部からなる濃度階調を有する画像を印刷するためのグラビア印刷版であって、
前記グラビア印刷版のセルの上面形状が、
前記ハイライト部において面積の小さな帯状ハイライト部メインセルを形成し、
前記中間調部において前記帯状ハイライト部メインセルの面積を前記濃度階調が増大するにつれて前記帯状ハイライト部メインセルの両端が近接するように徐々に増大形成させかつ該帯状ハイライト部メインセルの周辺に点状又は線状の中間調部補助セルを追加形成することにより帯状中間調部メインセルを形成し、
前記シャドウ部において前記濃度階調が増大するにつれて前記帯状中間調部メインセルの面積を徐々に増大形成させて前記帯状中間調部メインセルの両端部を接合させることにより環状シャドウ部メインセルを形成することを特徴とするグラビア印刷版。
【請求項２】
前記シャドウ部において前記中間調部補助セルを前記濃度階調が増大するにつれてその面積を増大させシャドウ部補助セルとしたことを特徴とする請求項１記載のグラビア印刷版。
【請求項３】
前記帯状ハイライト部メインセル、前記帯状中間調部メインセル及び中間調部補助セル並びにシャドウ部メインセル及びシャドウ部補助セルが、多数の微小ピットによって形成されていることを特徴とする請求項１又は２記載のグラビア印刷版。
【発明の詳細な説明】
【技術分野】
【０００１】
本発明は、グラビア印刷に用いられるグラビア印刷版に関する。
【背景技術】
【０００２】
一般的なグラビア印刷版は、次のような工程で作成される。
（イ）アルミ又は鉄のシリンダーロールを母材として使用し、銅メッキを行う。
（ロ）銅メッキの後、バラードメッキを行う（バラードメッキは省略可能である）。
（ハ）バラードメッキの後、砥石研磨を行う。
（ニ）砥石研磨の後、感光材料をコートする。
（ホ）乾燥させる。
（ヘ）レーザー露光機によってレーザー露光し、グラビアセル（微小の凹部）を形成する。
（ト）現像を行うことで、レーザー露光された部分（もしくは露光されなかった部分）の感光材を除去する。
（チ）前記部分の感光材が除去され、銅メッキが露出している部分を腐食し、グラビアセルの必要な深度を確保する。
（リ）全ての感光材を剥離する。
（ヌ）クロムメッキを行い、版の耐久性を上げる。
（ル）ペーパー研磨を行い、クロムメッキの突起を取り除く。【０００３】
上記のようにして作成されるグラビア印刷版によって印刷される画像の濃度階調を再現する方法としては、グラビア印刷版のグラビアセルの面積を変える網グラビア法が知られている。【０００４】
グラビア製版ロールは、濃度階調（色の濃淡）表現を微細な点（網点）の大小で表したグラビアセルを形成したロールである。グラビア製版ロールに形成されるグラビアセル（以下単にセルと言うことがある）としては、ＡＭスクリーン（Amplitude Modulation Screen）用グラビアセルとＦＭスクリーン（Frequency Modulation Screen）用グラビアセルとが知られている。ＡＭスクリーンでは、網点が規則正しく配列され網点の大小で濃度階調表現されるのに対して、ＦＭスクリーンでは網点の密度で濃度階調表現される。【０００５】
グラビア印刷にあたっては、該グラビアセルにインクを入れてドクターブレードで余分なインクを掻き取る必要がある。したがって、濃度階調のシャドウ部のスクリーン線の面積は１０％〜３０％になる。すなわち、グラビア製版ロールでは印刷物のグラデーション０〜１００％に対してグラビア製版ロールのグラデーションは０〜９０％前後で表現する版として構成される。【０００６】
ここで、ハイライト部とは、セルが小さく形成された濃度階調の最も明るい部分であり、シャドウ部とは、セルが大きく形成された濃度階調の最も暗い部分であり、これらの中間部分を中間調部という。【０００７】
従来、例えば、凹状セルの集合体が版面に形成されてなり、該セルが占める面積率の変化によって画像の濃度階調を再現するグラビア版において、前記濃度階調のハイライト部及び中間調部におけるセルの配列がランダムで、シャドウ部におけるセルの配列は整列していることを特徴とするグラビア印刷版が知られている（特許文献１）。【０００８】
従来のグラビアセルを図５及び図６に示す。図５及び図６において、従来のグラビア印刷版１００は、線数／inchに応じてピッチ１２０が決められ、例えば１７５線／inchの場合には、一つのピッチは１４５μｍとなる。各ピッチ１２０にはグラビアセル１４０が形成されており、このグラビアセル１４０にインクを入れてドクターブレードで余分なインクを掻き取り印刷する。【０００９】
網グラビア法では、グラビアセルの面積の大小で濃度の調整が行われるため、濃度階調に応じてグラビアセル１４０の大きさを変えることとしている。図５は従来のグラビア印刷版に形成されたグラビアセルの上面概略説明図であって、（ａ）が濃度階調５％の状態、（ｂ）が濃度階調１０％の状態、（ｃ）が濃度階調３０％の状態、（ｄ）が濃度階調４５％の状態であり、図６も同様に従来のグラビア印刷版に形成されたグラビアセルの上面概略説明図であって、（ｅ）が濃度階調５０％の状態、（ｆ）が濃度階調７０％の状態、（ｇ）が濃度階調９０％の状態をそれぞれ示す。【００１０】
しかし、従来のグラビアセルは、形状が図５（ａ）〜（ｄ）及び図６（ｅ）〜（ｇ）に示すように四角の格子状であるために、グラビアセルにインクを入れて印刷すると、画像が印刷方向に扁平形状となってしまったり、グラビアセルに入れたインク同士が干渉しあってしまい、干渉部分が目立ってしまって、中間色の見栄えが悪くなってしまって、グラデーションのなめらかさに欠けるといった問題があった。【００１１】
この問題は特にＡＭスクリーンにおいて顕著であり、ＡＭスクリーンではグラビアセルが規則正しく配列されるために網点同士の干渉が同時に起こり始めるので、干渉部分が目立ってしまう。【００１２】
一方、ＦＭスクリーンでは、グラビアセルがランダムに形成されるので、網点同士の干渉がランダムなため、上記のような網点同士の干渉がほとんど起こらず、網点の干渉部分も目立たない。しかし、ＦＭスクリーンの場合は、ハイライト部へのインクの転移が悪く、印刷のがさつきが目立ったり、シャドウ部で、十分な濃度が得られないという問題があった。
【特許文献１】特開平８−１４６５９４号公報
【発明の開示】
【発明が解決しようとする課題】
【００１３】
上記問題が生じる原因につき、本発明者らは鋭意検討を重ねた処、印刷した際に上下左右のドット（dot）がつながり始める部分で、印刷のがさつきやグラデーションの段差が発生することを突き止めた。【００１４】
本発明は、上記問題点に鑑みてなされたものであり、ＡＭスクリーンにおける中間色の見栄えやグラデーションのなめらかさを向上させることができるのみならず、ＦＭスクリーンにおけるハイライト部へのインクの転移が向上するとともにシャドウ部での十分な濃度を得ることができるようにしたグラビア印刷版を提供することを目的とする。
【課題を解決するための手段】
【００１５】
上記課題を解決するために本発明のグラビア印刷版は、
ハイライト部、中間調部及びシャドウ部からなる濃度階調を有する画像を印刷するためのグラビア印刷版であって、
前記グラビア印刷版のセルの上面形状が、
前記ハイライト部において面積の小さな帯状ハイライト部メインセルを形成し、
前記中間調部において前記帯状ハイライト部メインセルの面積を前記濃度階調が増大するにつれて前記帯状ハイライト部メインセルの両端が近接するように徐々に増大形成させかつ該帯状ハイライト部メインセルの周辺に点状又は線状の中間調部補助セルを追加形成することにより帯状中間調部メインセルを形成し、
前記シャドウ部において前記濃度階調が増大するにつれて前記帯状中間調部メインセルの面積を徐々に増大形成させて前記帯状中間調部メインセルの両端部を接合させることにより環状シャドウ部メインセルを形成することを特徴とする。【００１６】
ハイライト部では、上記のように構成することで、少ない面積のセルで従来の格子状のセルと同等の印刷エリアをカバーし、素点濃度を下げることが可能となる。【００１７】
中間調部では、上記のように、一つ以上の点や線の補助セルを形成することで、ドットのつながり部分を目立たなくすることが可能となる。【００１８】
前記環状シャドウ部メインセルとしては、中央に島を形成した環状セルとしてもよいし、完全に島でなくても半島状態でもよい。従来のスクリーンでは濃度階調が５０％〜１００％付近に印刷ムラが発生することがあったが、このように、シャドウ部では、中央に島又は半島を形成することで、印刷ムラが改善される。また、前記中間調部補助セルは、前記環状シャドウ部メインセルと当接していてもよいし、当接せずに離れて位置してもよい。【００１９】
前記中間調部補助セルは、シャドウ部（濃度階調５０％以上）に近づくにつれてそのサイズを徐々に小さくせしめてもよいし、前記中間調部補助セル自体を消滅せしめる構成とすることもできる。【００２０】
また、前記シャドウ部において前記中間調部補助セルを前記濃度階調が増大するにつれてその面積を増大させシャドウ部補助セルとしてもよい。【００２１】
さらに、前記帯状ハイライト部メインセル、前記帯状中間調部メインセル及び中間調部補助セル並びにシャドウ部メインセル及びシャドウ部補助セルが、多数の微小ピットによって形成されるように構成することも可能である。【００２２】
前記微小ピットのサイズとしては、５μｍ〜１００μｍが好適であり、２０μｍ〜５０μｍが特に好適である。【００２３】
ここで、ハイライト部とは印刷物の色の濃度が最も淡い部分であり、シャドウ部とは最も濃い部分であり、中間調部はそれらの中間の部分を指す。本明細書において、ハイライト部は、濃度階調３０％以下、シャドウ部とは濃度階調５０％以上の部分を指すが、印刷物全体の濃淡によっても変動しうるため、中間調部とは濃度階調１０〜７０％を指す。【００２４】
本発明のグラビア印刷版のグラビアセルの深度は、所望の印刷に応じて変化するもので特別の限定はないが、例えば、１μ〜１５０μｍの深度が可能である。【００２５】
また、前記グラビア印刷版に適用できるスクリーンの線数には特別の限定はないが、例えば１０線／inch〜１５００線／inchなどの線数が適用でき、その線数に応じて各セルの大きさが変動する。
【発明の効果】
【００２６】
本発明のグラビア印刷版によれば、ＡＭスクリーンにおける中間色の見栄えやグラデーションのなめらかさを向上させることができるのみならず、ＦＭスクリーンにおけるハイライト部へのインクの転移が向上するとともにシャドウ部での十分な濃度を得ることができるようにしたグラビア印刷版を提供することができるという著大な効果を奏する。
【図面の簡単な説明】
【００２７】
【図１】本発明の一つの実施の形態であるグラビア印刷版に形成されたグラビアセルの上面概略説明図であって、（ａ）が濃度階調５％の状態、（ｂ）が濃度階調１０％の状態、（ｃ）が濃度階調３０％の状態、（ｄ）が濃度階調４５％の状態をそれぞれ示す。
【図２】本発明の一つの実施の形態であるグラビア印刷版に形成されたグラビアセルの上面概略説明図であって、（ｅ）が濃度階調５０％の状態、（ｆ）が濃度階調７０％の状態、（ｇ）が濃度階調９０％の状態をそれぞれ示す。
【図３】本発明の他の実施の形態であるグラビア印刷版に形成されたグラビアセルの上面概略説明図であって、（ａ）が濃度階調５％の状態、（ｂ）が濃度階調１０％の状態、（ｃ）が濃度階調３０％の状態、（ｄ）が濃度階調４５％の状態をそれぞれ示す。
【図４】本発明の他の実施の形態であるグラビア印刷版に形成されたグラビアセルの上面概略説明図であって、（ｅ）が濃度階調５０％の状態、（ｆ）が濃度階調７０％の状態、（ｇ）が濃度階調９０％の状態をそれぞれ示す。
【図５】従来のグラビア印刷版に形成されたグラビアセルの上面概略説明図であって、（ａ）が濃度階調５％の状態、（ｂ）が濃度階調１０％の状態、（ｃ）が濃度階調３０％の状態、（ｄ）が濃度階調４５％の状態をそれぞれ示す。
【図６】従来のグラビア印刷版に形成されたグラビアセルの上面概略説明図であって、（ｅ）が濃度階調５０％の状態、（ｆ）が濃度階調７０％の状態、（ｇ）が濃度階調９０％の状態をそれぞれ示す。
【符号の説明】
【００２８】
１０Ａ，１０Ｂ：本発明のグラビア印刷版、１２，５２：ピッチ、１４，５４：帯状ハイライト部メインセル、１６，５６：中間調部補助セル、１８，５８：帯状中間調部メインセル、２０，６０：環状シャドウ部メインセル、２２，６２：シャドウ部補助セル、２４，６４：島、５３：微小ピット、１００：従来のグラビア印刷版、１２０：ピッチ、１４０：グラビアセル。
【発明を実施するための最良の形態】
【００２９】
以下に本発明の実施の形態を添付図面に基づいて説明するが、図示例は例示的に示されたもので、本発明の技術的思想から逸脱しない限り種々の変形が可能なことは言うまでもない。【００３０】
図１は、本発明の一つの実施の形態であるグラビア印刷版に形成されたグラビアセルの上面概略説明図であって、（ａ）が濃度階調５％の状態、（ｂ）が濃度階調１０％の状態、（ｃ）が濃度階調３０％の状態、（ｄ）が濃度階調４５％の状態をそれぞれ示す。図２は、本発明の一つの実施の形態であるグラビア印刷版に形成されたグラビアセルの上面概略説明図であって、（ｅ）が濃度階調５０％の状態、（ｆ）が濃度階調７０％の状態、（ｇ）が濃度階調９０％の状態をそれぞれ示す。【００３１】
図３は、本発明の他の実施の形態であるグラビア印刷版に形成されたグラビアセルの上面概略説明図であって、（ａ）が濃度階調５％の状態、（ｂ）が濃度階調１０％の状態、（ｃ）が濃度階調３０％の状態、（ｄ）が濃度階調４５％の状態をそれぞれ示す。図４は、本発明の他の実施の形態であるグラビア印刷版に形成されたグラビアセルの上面概略説明図であって、（ｅ）が濃度階調５０％の状態、（ｆ）が濃度階調７０％の状態、（ｇ）が濃度階調９０％の状態をそれぞれ示す。【００３２】
図５は、従来のグラビア印刷版に形成されたグラビアセルの上面概略説明図であって、（ａ）が濃度階調５％の状態、（ｂ）が濃度階調１０％の状態、（ｃ）が濃度階調３０％の状態、（ｄ）が濃度階調４５％の状態をそれぞれ示す。図６は、従来のグラビア印刷版に形成されたグラビアセルの上面概略説明図であって、（ｅ）が濃度階調５０％の状態、（ｆ）が濃度階調７０％の状態、（ｇ）が濃度階調９０％の状態をそれぞれ示す。【００３３】
本発明のグラビア印刷版は、次のような工程で作成される。まず、アルミ、鉄、又はＣＦＲＰ（炭素繊維強化樹脂）のシリンダーロールを母材として使用し、銅メッキを行う。銅メッキの後、バラードメッキを行う（バラードメッキは省略可能である）。バラードメッキの後、砥石研磨を行う。砥石研磨の後、感光材料をコートする。その後乾燥させる。そして、レーザー露光機によってレーザー露光し、グラビアセル（微小の凹部）を形成する。現像を行うことで、レーザー露光された部分（もしくは露光されなかった部分）の感光材を除去する。前記部分の感光材が除去され、銅メッキが露出している部分を腐食し、グラビアセルの必要な深度を確保する。全ての感光材を剥離する。硬質皮膜処理（例えば、クロムメッキ、ＤＬＣ（Diamond Like Carbon）膜、ニッケル合金膜、二酸化珪素膜など）を行い、版の耐久性を上げる。そしてペーパー研磨を行い、硬質皮膜の突起を取り除く。【００３４】
このようにして形成されたグラビア印刷版のグラビアセルを図１〜図４に基づいて説明する。なお、本発明のグラビア印刷版のグラビアセルの形成にあたっては、印刷時に画像が楕円となるのを防ぐべく、図示したように、印刷方向に対して垂直方向に扁平の方が好適である。【００３５】
図１に本発明の一つの実施の形態であるグラビア印刷版に形成されたグラビアセルの上面概略説明図を示す。図１及び図２において、符号１０Ａは本発明のグラビア印刷版の一つの実施の形態を示す。符号１２はピッチを示し、印刷しようとするスクリーンの線数に応じてピッチ１２の大きさは決まる。図示の例では１７５線／inchの場合を示してあり、ピッチ１２は１４５μｍである。【００３６】
本発明のグラビア印刷版１０Ａは、ハイライト部、中間調部及びシャドウ部からなる濃度階調を有する画像を印刷するためのグラビア印刷版である。【００３７】
図示の例では、濃度階調１０％未満はハイライト部、濃度階調１０％以上〜５０％未満は中間調部、濃度階調５０％以上がシャドウ部である場合を示した。上述したように、ハイライト部は、濃度階調３０％以下、シャドウ部とは濃度階調５０％以上の部分を指すが、印刷物全体の濃淡によっても変動しうるため、中間調部とは濃度階調１０〜７０％を指すものである。【００３８】
まず、ハイライト部においては面積の小さな帯状ハイライト部メインセル１４を形成する（図１（ａ）、濃度階調５％）。【００３９】
次に、中間調部においては前記帯状ハイライト部メインセル１４の面積を前記濃度階調が増大するにつれて前記帯状ハイライト部メインセル１４の両端が近接するように徐々に増大形成させかつ該帯状ハイライト部メインセル１４の周辺に点状又は線状の中間調部補助セル１６を追加形成することにより帯状中間調部メインセル１８を形成する（図１（ｂ）〜図１（ｄ）、濃度階調１０％〜４５％）。【００４０】
さらに、シャドウ部においては前記濃度階調が増大するにつれて前記帯状中間調部メインセル１８の面積を徐々に増大形成させて前記帯状中間調部メインセル１８の両端部を接合させることにより環状シャドウ部メインセル２０を形成する（図２（ｅ）〜（ｇ））。【００４１】
また、前記シャドウ部において前記中間調部補助セル１６を前記濃度階調が増大するにつれてその面積を増大させシャドウ部補助セル２２となっている（図２（ｅ）〜（ｇ））。【００４２】
前記環状シャドウ部メインセル２０としては、図２（ｅ）〜（ｇ）のように、中央に島２４を形成した環状セルとなっている。【００４３】
図２（ｆ）では、前記シャドウ部補助セル２２は、前記環状シャドウ部メインセル２０と当接した構成とされている。そして、図２（ｇ）では、前記シャドウ部補助セル２２は前記環状シャドウ部メインセル２０と合体して環状シャドウ部メインセル２０に含まれている。【００４４】
上記のように構成されたグラビア印刷版１０Ａを用いてグラビア印刷を行うと、ＡＭスクリーンにおける中間色の見栄えやグラデーションのなめらかさを向上させることができる。また、ＦＭスクリーンに適用すれば、ＦＭスクリーンにおけるハイライト部へのインクの転移が向上するとともにシャドウ部での十分な濃度を得ることもできる。【００４５】
図３及び図４に本発明の他の実施の形態であるグラビア印刷版に形成されたグラビアセルの上面概略説明図を示す。図３及び図４において、符号１０Ｂは本発明のグラビア印刷版の他の実施の形態を示す。符号５２はピッチを示し、印刷しようとするスクリーンの線数に応じてピッチ５２の大きさは決まる。図示の例では１７５線／inchの場合を示してあり、ピッチ５２は１４５μｍである。【００４６】
本発明のグラビア印刷版１０Ｂは、ハイライト部、中間調部及びシャドウ部からなる濃度階調を有する画像を印刷するためのグラビア印刷版である。グラビア印刷版１０Ｂのグラビアセルは多数の微小ピット５３から構成されている。【００４７】
図示の例では、濃度階調１０％未満はハイライト部、濃度階調１０％以上〜５０％未満は中間調部、濃度階調５０％以上がシャドウ部である場合を示した。上述したように、ハイライト部は、濃度階調３０％以下、シャドウ部とは濃度階調５０％以上の部分を指すが、印刷物全体の濃淡によっても変動しうるため、中間調部とは濃度階調１０〜７０％を指すものである。【００４８】
まず、ハイライト部においては微小ピット５３で面積の小さな帯状ハイライト部メインセル５４を形成する（図３（ａ）、濃度階調５％）。【００４９】
次に、中間調部においては前記帯状ハイライト部メインセル５４の面積を前記濃度階調が増大するにつれて前記帯状ハイライト部メインセル５４の両端が近接するように徐々に微小ピット５３で増大形成させかつ該帯状ハイライト部メインセル５４の周辺に点状又は線状の中間調部補助セル５６を微小ピット５３で追加形成することにより帯状中間調部メインセル５８を形成する（図３（ｂ）〜（ｄ）、濃度階調１０％〜４５％）。【００５０】
さらに、シャドウ部においては前記濃度階調が増大するにつれて前記帯状中間調部メインセル５８の面積を徐々に微小ピット５３で増大形成させて前記帯状中間調部メインセル５８の両端部を接合させることにより環状シャドウ部メインセル６０を形成する（図４（ｅ）〜（ｇ））。【００５１】
また、前記シャドウ部において微小ピット５３で前記中間調部補助セル５６を前記濃度階調が増大するにつれてその面積を増大させシャドウ部補助セル６２となっている（図４（ｅ）〜（ｇ））。【００５２】
前記環状シャドウ部メインセル６０としては、図４（ｅ）〜（ｇ）のように、中央に島６４を形成した環状セルとなっている。【００５３】
図４（ｆ）では、前記シャドウ部補助セル６２は、前記環状シャドウ部メインセル６０と当接した構成とされている。そして、図４（ｇ）では、前記シャドウ部補助セル６２は前記環状シャドウ部メインセル６０と合体して環状シャドウ部メインセル６０に含まれている。【００５４】
図４によく示される如く、グラビア印刷版１０Ｂの帯状ハイライト部メインセル５４、前記帯状中間調部メインセル５８及び中間調部補助セル５６並びにシャドウ部メインセル６０及びシャドウ部補助セル６２は、多数の微小ピット５３で形成されている。【００５５】
上記のように構成されたグラビア印刷版１０Ｂを用いてグラビア印刷を行うと、ＡＭスクリーンにおける中間色の見栄えやグラデーションのなめらかさを向上させることができるのみならず、ＦＭスクリーンにおけるハイライト部へのインクの転移が向上するとともにシャドウ部での十分な濃度を得ることができた。
【図１】
2008053757.tif 000003
【図２】
2008053757.tif 000004
【図３】
2008053757.tif 000005
【図４】
2008053757.tif 000006
【図５】
2008053757.tif 000007
【図６】
2008053757.tif 000008
【国際調査報告】
2008053757.tif 000009
2008053757.tif 000010